(57)【要約】【課題】二次元のウェブページから三次元空間への遷移を明示的に表示する。【解決手段】コンピュータにより表示装置に、二次元のウェブページと、三次元空間と、を切換表示する表示切替装置において、二次元のウェブページを表示している際に、三次元空間の表示への切替指示を受け付けた場合に、二次元のウェブページにおける表示面２２を、三次元空間３に垂直に立っている平面とみなしその平面の底辺２６を軸として徐々に奥方向に倒して底面Ｇとし、この底面Ｇを含んで上方に広がる三次元空間３を少なくとも一時的に表示する。【選択図】図４
2010271935.tif 000002
【特許請求の範囲】
【請求項１】
二次元のウェブページと、三次元空間との表示装置上での切換表示を制御する表示切替装置において、
二次元のウェブページを表示している際に、三次元空間の表示への切替指示を受け付ける指示受付手段と、
前記切換指示が前記指示受付手段により受け付けられた場合に、前記二次元のウェブページにおける表示面を、三次元空間に垂直に立っている平面とみなしその平面の底辺を回転軸として徐々に奥方向に倒して底面とし、この底面を含んで上方に広がる三次元空間を少なくとも一時的に表示する表示制御手段と、
をコンピュータで実現したことを特徴とする表示切替装置。
【請求項２】
前記表示制御手段は、前記二次元のウェブページに含まれていた画像について、前記三次元空間の前記底面に直立させた表示を行う
ことを特徴とする請求項１記載の表示切替装置。
【請求項３】
コンピュータにより表示装置に、二次元のウェブページと、三次元空間と、を切換表示する表示切替装置で実行する表示切替方法において、
二次元のウェブページを表示している際に、三次元空間の表示への切替指示を受け付ける指示受付処理ステップと、
前記切換指示が受け付けられた場合に、前記二次元のウェブページにおける表示面を、三次元空間に垂直に立っている平面とみなしその平面の底辺を軸として徐々に奥方向に倒して底面とし、この底面を含んで上方に広がる三次元空間を少なくとも一時的に表示する表示制御処理ステップと、
をコンピュータで実行することを特徴とする表示切替方法。
【発明の詳細な説明】
【技術分野】
【０００１】
本発明は、ウェブページ及び三次元空間の表示を切り替える技術に関する。
【背景技術】
【０００２】
インターネット上で実現され、ユーザ同士がコミュニケーションする三次元空間をメタバースと呼ぶ。その例として、現実社会を模した仮想共有空間をウェブサイト上に構築し、任意の姿とするユーザの分身を入場させて操作する例のほか（例えば、特許文献１参照）、ウェブサイトに対応した３Ｄ空間にウェブページを表示し、リンクをクリックすると新たなウィンドウに二次元のウェブページを表示する例などがある（例えば、非特許文献１参照）。
【０００３】
従来、ウェブブラウザで通常の二次元のウェブページを閲覧していて、上記のようなメタバースへ切替える所定操作を行うと、暗転等の適宜な場面転換表現などを経て、ウィンドウ内の表示を三次元（３Ｄ）空間に切り替えていた。
【先行技術文献】
【特許文献】
【０００４】
【特許文献１】特開２００２−１８３０６８号公報
【非特許文献】
【０００５】
【非特許文献１】YOOWALK  SA、「YOOWALK」、［online］、［2009年4月21日検索］、インターネット〈URL：http://www.yoowalk.com/〉
【発明の概要】
【発明が解決しようとする課題】
【０００６】
しかし、従来では、三次元空間であることが判り難いという課題があった。特に、壁などの平面にウェブページを貼り付けて三次元表示としたような構成の三次元空間では、キャラクタであるアバターの移動操作など三次元特有の事象が発生しないと三次元空間であることが分かりにくかった。このように、二次元表示と三次元表示の区別が付きにくい結果、それぞれに応じた円滑な操作も困難であった。
【０００７】
本発明は、上記のような課題を解決するもので、その目的は、二次元のウェブページから三次元空間への遷移を明示的に表示することである。
【課題を解決するための手段】
【０００８】
上記の目的をふまえ、本発明の一態様は、コンピュータにより表示装置に、二次元のウェブページと、三次元空間と、を切換表示する表示切替装置において、二次元のウェブページを表示している際に、三次元空間の表示への切替指示を受け付ける指示受付手段と、前記切換指示が前記指示受付手段により受け付けられた場合に、前記二次元のウェブページにおける表示面を、三次元空間に垂直に立っている平面とみなしその平面の底辺を軸として徐々に奥方向に倒して底面とし、この底面を含んで上方に広がる三次元空間を少なくとも一時的に表示する表示制御手段と、をコンピュータで実現したことを特徴とする。
【０００９】
上記態様を方法という見方で捉えると、コンピュータにより表示装置に、二次元のウェブページと、三次元空間と、を切換表示する表示切替装置で実行する表示切替方法において、二次元のウェブページを表示している際に、三次元空間の表示への切替指示を受け付ける指示受付処理ステップと、前記切換指示が受け付けられた場合に、前記二次元のウェブページにおける表示面を、三次元空間に垂直に立っている平面とみなしその平面の底辺を軸として徐々に奥方向に倒して底面とし、この底面を含んで上方に広がる三次元空間を少なくとも一時的に表示する表示制御処理ステップと、をコンピュータで実行することを特徴とする。
【００１０】
このように、三次元空間への表示切替時に、それまで表示していた二次元のウェブページを後方に倒して床状とした床面とその上方の空間を持つ三次元空間を、少なくとも一時的に表示することにより、二次元から三次元への遷移が明示的に表示されて判り易くなり、適切な操作を円滑に行うことが可能となる。
【００１１】
本発明の他の態様は、上記いずれかの態様において、前記表示制御手段は、前記二次元のウェブページに含まれていた画像について、前記三次元空間の前記床面に直立させた表示を行うことを特徴とする。
【００１２】
このように、ウェブページにあった画像について、三次元空間上に立たせて表示することにより、底面や壁面に貼ったように遠近法で奥行きを持たせる変形処理を行うような画像処理の負荷が軽減でき、画像も歪まず見やすいという効果が得られる。
【００１３】
また、本発明は、以上の装置や方法に限らず、上記装置又は方法に対応する方法、装置やコンピュータ・プログラムの各態様も含むものである。
【発明の効果】
【００１４】
本発明によれば、二次元のウェブページから三次元空間への遷移時に、それまでの二次元のウェブページ表示内容を三次元空間の底面として構成するように表示することで、三次元空間への遷移を明示することができる。
【図面の簡単な説明】
【００１５】
【図１】本発明の実施形態の構成を示す図。
【図２】本発明の実施形態における処理手順を示すフローチャート。
【図３】本発明の実施形態における二次元のウェブページの表示例を示す図。
【図４】本発明の実施形態における二次元のウェブページにおける表示面を、三次元空間に垂直に立っている平面とみなしその平面の底辺を軸として徐々に奥方向に倒して底面とする状態を説明するための概念図。
【図５】本発明の実施形態において、二次元のウェブページにおける表示面を奥方向に倒す過程を示す図。
【図６】本発明の実施形態における三次元空間の表示例を示す図。
【図７】本発明の実施形態における三次元空間について、他の表示例を示す図。
【図８】本発明の実施形態における三次元空間について、他の表示例を示す図。
【発明を実施するための形態】
【００１６】
次に、本発明を実施するための形態（「実施形態」と呼ぶ）について、図に沿って説明する。なお、背景技術や課題などで既に述べた内容と共通の前提事項については適宜省略する。
【００１７】
〔１．構成〕
本実施形態は、図１（構成図）に示すサーバ装置（以下「本装置」とも呼ぶ）１に関するもので、本装置１に対応する方法、コンピュータ・プログラム及びそのダウンロード提供（有償無償を問わない）としても把握可能である。
【００１８】
本装置１は、コンピュータにより、通信ネットワークＮ（インターネットや携帯電話網など）経由でアクセスしてくる一又は二以上（通常は多数）のクライアント端末（パーソナルコンピュータや携帯電話端末装置などのクライアントシステムを意味し、以下「端末」とも呼ぶ）Ｔの表示装置Ｄに、二次元のウェブページと、三次元空間と、を切換表示するもので、表示切替装置と呼ぶことができる。
【００１９】
このような本装置１の各要素は、コンピュータで実現している。すなわち、本装置１は、図１に示すように、一般的なコンピュータの構成として、少なくとも、ＣＰＵなどの演算制御部５と、外部記憶装置（ＨＤＤ等）や主メモリ等の記憶装置６と、通信ネットワークとの通信手段７（ＬＡＮアダプタなど）と、を有し、記憶装置６に予め記憶（インストール）した図示しない所定のコンピュータ・プログラムが演算制御部５を制御することで、図１に示す各手段などの要素（１０，２０…など）を実現する。
【００２０】
これら各要素のうち、情報を記憶する手段であるウェブデータ記憶手段１５及び３Ｄデータ記憶手段４５は、記憶装置６においてファイルや各種データベース（「ＤＢ」とも表す）、配列等の変数、システム設定値など任意の形式で実現するもので、そのうちウェブデータ記憶手段１５は、二次元のウェブページの表示に用いるＨＴＭＬファイル、画像、SilverlightやFlash（それぞれ商標又は登録商標）などのインタラクティブ動画ファイルすなわちリッチインターネットアプリケーション（Rich  Internet  Application、ＲＩＡ）のファイルなどの情報を予め記憶している。
【００２１】
また、３Ｄデータ記憶手段４５は、三次元空間の表示手法などに応じ、表示に用いるＲＩＡファイル、表示物やアバターなどの見た目や挙動などを表す情報を予め記憶している。その他の情報処理を行う各要素（１０，２０など）は、後述するような各機能や処理を実現・実行する処理手段である。
【００２２】
また、端末Ｔも、一般的なパーソナルコンピュータの構成として、少なくとも、演算制御部５と、記憶装置６と、通信手段７の他、マウスやキーボードなどの入力装置Ｍと、液晶パネルなどの表示装置Ｄと、を有する。そして、端末Ｔは、記憶装置６に予め記憶（インストール）したウェブブラウザＢと、このウェブブラウザＢ上で、前記ＲＩＡのファイルを再生実行するプレーヤーであるプラグイン（プラグイン・プログラム）Ｐと、を備える。
【００２３】
〔２．作用〕
本実施形態では、二次元のウェブページから三次元空間への遷移時に、それまでの二次元のウェブページ表示内容が変形して三次元空間の床面に変化するアニメーション表示を行うことで、三次元空間への遷移を明示的に表示する。このような動作を実現する本装置１の動作手順の一例を図２のフローチャートに示す。
【００２４】
すなわち、本実施形態では、本装置１のウェブページ表示手段１０が、端末Ｔからのページ要求に応じ、ウェブデータ記憶手段１５からＨＴＭＬファイルなどを読み出して要求元の端末Ｔへ返送することで、ウェブブラウザＢの表示ウィンドウに二次元のウェブページを表示する（図２のステップＳ１０）。このような二次元のウェブページの表示例を図３に示す。この図のウェブページＷは、文字群Ｃの他、画像Ｆ１，Ｆ２などを含む。
【００２５】
そして、指示受付手段２０は、上記のように端末Ｔで二次元のウェブページＷを表示している際に、三次元空間の表示への所定の切替指示を、端末ＴのウェブブラウザＢから受信することで受け付けると（ステップＳ２０。指示受付処理ステップ）、表示制御手段３０が、二次元から三次元への移行アニメーション表示を行う。三次元空間の表示への所定の切替指示としては、例えば、ウェブページＷ上の切換ボタンＢ１（図３）の操作などが考えられるが、実装態様はキーボードショートカットなど自由である。
【００２６】
上記の移行アニメーション表示として、表示制御手段３０は、図４の概念図に示すように、前記二次元のウェブページにおける表示面２２を、三次元空間３に垂直に立っている平面とみなし、その平面の底辺２６を回転軸として、矢印２７に示すように徐々に奥方向に倒して底面Ｇとする（図４）。このように表示面２２を徐々に奥方向に倒す様子を表示面２２の正面から見た状態を、図５（１）→（２）→（３）に模式的に示す。そして、このように倒して得た底面Ｇを含んで上方に広がる三次元空間３（図６）を少なくとも一時的に表示する（ステップＳ３１。表示制御処理ステップ）。
【００２７】
この際、表示制御手段３０は、二次元のウェブページに含まれていた画像（図３の例ではＦ１，Ｆ２）について、図７に例示するように、三次元空間３の底面Ｇに直立させた表示を行うことも想定するが（ステップＳ３２）、必須ではない。また、図６や図７の表示状態において、その表示を見ているユーザを表すアバターＡ１を表示することも想定する（ステップＳ３３）。
【００２８】
そして、このような図６や図７の三次元表示をそのまま継続させてもよいが、これら図６や図７はあくまで移行的表示とし、その後の更なる指示を待って（ステップＳ３５）、アバターが活動できる最終的表示となる所定の三次元空間を生成し（図８）、その部屋状の空間内の適宜な位置にアバターＡ１や、他のユーザのアバターＡ２などを改めて表示したり、それまで閲覧していた二次元のウェブページＷを奥の壁面などに、それぞれ表示してもよい（ステップＳ４０）。
【００２９】
図６などの三次元表示において、所定の操作（例えば、「２Ｄサイトへ」の切換ボタンＢ２のクリックなど）を行って二次元の表示へ戻る場合は、三次元への移行時と逆に、図４に破線矢印２８で示すように、倒れていた底面Ｇが徐々に手前方向に起き上がるようなアニメーション表示を行えば、表示の一貫性が向上する。また、図６から図８のように、三次元空間の底面や壁面として表示されているウェブページ内のハイパーリンク（例えば図６において下線のある文字列を示す符号Ｈ）を操作することによって、三次元表示のまま底面や壁面の内容が切り替わる形で若しくは二次元の表示に戻る形で、リンク先のウェブページを表示するように実装すれば、優れた操作性が得られる。
【００３０】
〔３．効果〕
以上のように、本実施形態では、三次元空間（メタバース）への表示切替時に、それまで表示していた二次元のウェブページを後方に倒して床状とした底面とその上方の空間を持つ（奥行きある）三次元空間を、少なくとも一時的に表示することにより、二次元から三次元への遷移が明示的に表示されて判り易くなり、適切な操作を円滑に行うことが可能となる。
【００３１】
また、上記のように本実施形態において、ウェブページにあった画像について、底面や壁面に貼ったように遠近法で奥行きを持たせる変形処理を行うことなく、三次元空間上に立たせて表示することにより、画像処理の負荷が軽減でき、画像も歪まず見やすいという効果が得られる。但し、この特徴は必須ではなく省略も可能である。
【００３２】
〔４．他の実施形態〕
なお、上記実施形態は例示に過ぎず、本発明は、以下に例示するものやそれ以外の他の実施態様も含むものである。例えば、本発明において、各手段などの要素は、プログラム内蔵型もしくはノイマン型コンピュータの演算制御部に限らず、ワイヤードロジック等に基づく電子回路や、他の情報処理原理による情報処理組織で実現してもよい。また、各構成図、データの図、フローチャートの図などは例示に過ぎず、各要素の有無、その順序や具体的内容などは適宜変更可能である。
【００３３】
一例として、上記実施形態では、クライアントサーバシステムを示したが、本発明は、パーソナルコンピュータなど単独の装置内で動作が完結する、いわゆるスタンドアロンの態様も含むものである。
【符号の説明】
【００３４】
１  サーバ装置
Ｔ  端末
３  三次元空間
５  演算制御部
６  記憶装置
７  通信手段
１０  ウェブページ表示手段
２０  指示受付手段
３０  表示制御手段
４０  三次元空間表示手段
Ｄ  表示装置
Ｍ  入力装置
Ｂ  ウェブブラウザ
Ｐ  プラグイン
【図１】
2010271935.tif 000003
【図２】
2010271935.tif 000004
【図３】
2010271935.tif 000005
【図４】
2010271935.tif 000006
【図５】
2010271935.tif 000007
【図６】
2010271935.tif 000008
【図７】
2010271935.tif 000009
【図８】
2010271935.tif 000010